(57)【要約】【課題】フィルムの切断をよりスムーズに行うことができる走行カッタータイプのフィルム切断装置を提供する【解決手段】搬送されたフィルム１００を吸着固定する板状のステージで構成され、前記フィルムの短手方向幅より幅広で前記フィルムの搬送方向に対して傾斜する方向に延在するカッター走行溝４を有する吸着盤３と、カッターの切刃２０ａ，２０ｂを前記カッター走行溝４より突出させた状態で前記溝に沿って移動可能に構成されたカッターユニット１２とを備える。カッターユニット１２は、前記切刃２０ａ，２０ｂがフィルム１００を浮かせ切りとなるようにカッター１４ａ，１４ｂ固定し、前記切刃２０ａ，２０ｂのフィルム切断部位の側方位置において前記吸着盤３表面との間で前記フィルム１００を挟むように構成されたフィルム押さえ部材５を有する。【選択図】図３
2008194764.tif 000002
【特許請求の範囲】
【請求項１】
搬送されたフィルムを吸着固定する板状のステージで構成され、前記フィルムの短手方向幅より幅広で前記フィルムの搬送方向に対して傾斜する方向に延在するカッター走行溝を有する吸着盤と、
カッターの切刃を前記カッター走行溝より突出させた状態で前記溝に沿って移動可能に構成されたカッターユニットとを備えるフィルム切断装置であって、
前記カッターユニットは、前記切刃と前記吸着盤とのなす角度が鈍角となるように構成され、前記切刃のフィルム切断部位の側方位置において前記吸着盤表面との間で前記フィルムを挟むように構成されたフィルム押さえ部材を有することを特徴とするフィルム切断装置。
【請求項２】
前記フィルム押さえ部材は、前記フィルム切断部位から離れるにつれて前記吸着盤表面との間隔が広くなるように構成された傾斜面を有し、前記傾斜面に、前記切刃の前記吸着盤表面からの突出部位を収納可能な切刃収納溝を有することを特徴とする、請求項１に記載のフィルム切断装置。
【請求項３】
前記カッターユニットは、互いの切刃が外側を向くように配置されたカッターを２枚有することを特徴とする、請求項１又は２に記載のフィルム切断装置。
【請求項４】
前記カッターユニットは、互いの切刃が外側を向くように構成された、略三角形状のカッターを有することを特徴とする、請求項１又は２に記載のフィルム切断装置。
【請求項５】
前記カッターユニットは、前記カッターの切刃と前記吸着盤とのなす角度が１４５〜１５５゜となるように構成されていることを特徴とする、請求項１〜４のいずれか１つに記載のフィルム切断装置。
【請求項６】
前記カッターユニットの移動速度は４００〜５００ｍｍ／秒であることを特徴とする、請求項１〜５のいずれか１つに記載のフィルム切断装置。
【請求項７】
前記フィルム押さえ部材は、傾斜面と前記吸着盤表面とがなす角度が２０〜４０゜となるように構成されていることを特徴とする請求項２に記載のフィルム切断装置。
【発明の詳細な説明】
【技術分野】
【０００１】
本発明は、フィルム用連続生産ラインにおいて搬送中のフィルムを切断するフィルム切断装置に関する。
【背景技術】
【０００２】
近年液晶ディスプレイのガラス基板の表面には光学フィルムを貼り付けることが広く行われている。当該光学フィルムは、通常ロール状に巻き取られたベースフィルムを用い、フィルムを連続的に装置に供給して機能膜をコーティングして作られる。
【０００３】
そして、当該光学フィルムの１ロールが終了する直前において、古いロールと新しいロールの光学フィルムを接続する動作が行われる。この動作では、古いロールのフィルムと新しいロールのフィルムを同じ切断面で切断した後、接着テープなどを用いて２つのフィルムを貼り合わせる動作が行われる。
【０００４】
ここで、フィルムを切断するための装置は、ステージ上にフィルムを固定した状態で、走行カッターを走行させることによりフィルムを切断する走行カッタータイプの構成のものが知られている。この装置は、たとえば、特許文献１又は特許文献２などに開示されている。
【０００５】
ところで、ステージ上をカッターが走行する構成の走行カッターは、カッターの切刃とフィルムとがなす角度によって、押さえ切りと浮かし切りのものが存在する。特許文献１に開示されている走行カッターは、カッターとステージとがなす角度が鋭角に構成されている押さえ切りの構成を有する走行カッターである。この構成の走行カッターは、カッターの移動に応じてフィルムが切刃でステージ側に押しつけながら切断するため、フィルムの浮きが発生せず、切断がスムーズにできるという利点があり、広く用いられていた。
【０００６】
一方、特許文献２に開示されている走行カッターは、カッターとステージとがなす角度が鈍角に構成されている浮かし切りの構成を有する走行カッターである。この構成の走行カッターは、フィルムに無理な押し付け力を加えずに切断が可能であるが、カッターの移動に応じてフィルムを切刃でステージから浮き上がる方向に力が加わるためフィルムが固定されず、切断がスムーズにできないという問題があった。
【特許文献１】実公平７−３０２８９号公報
【特許文献２】特開平８−３００２９２号公報
【発明の開示】
【発明が解決しようとする課題】
【０００７】
しかし、近年のフィルムの新素材化や表面処理の多様化により、押さえ切りの走行カッターでは、スムーズに切断できないフィルムが出現してきた。
【０００８】
例えば、ＰＥＴ，ＴＡＣを材質とするフィルムや、表面を特殊加工したフィルムを押さえ切りした場合、フィルムに作用するせん断力が強すぎてフィルムの切断面がむしれをおこし、フィルムの貼り合わせ不良が生じるという問題があった。
【０００９】
したがって、本発明が解決しようとする技術的課題は、従来の方式ではうまく切れなかったフィルムの切断を行うことができる走行カッタータイプのフィルム切断装置を提供することである。
【課題を解決するための手段】
【００１０】
本発明は、上記技術的課題を解決するために、以下の構成のフィルム切断装置を提供する。
【００１１】
本発明の第１態様によれば、搬送されたフィルムを吸着固定する板状のステージで構成され、前記フィルムの短手方向幅より幅広で前記フィルムの搬送方向に対して傾斜する方向に延在するカッター走行溝を有する吸着盤と、
カッターの切刃を前記カッター走行溝より突出させた状態で前記溝に沿って移動可能に構成されたカッターユニットとを備えるフィルム切断装置であって、
前記カッターユニットは、前記切刃と前記吸着盤とのなす角度が鈍角となるように構成され、前記切刃のフィルム切断部位の側方位置において前記吸着盤表面との間で前記フィルムを挟むように構成されたフィルム押さえ部材を有することを特徴とするフィルム切断装置を提供する。
【００１２】
本発明の第２態様によれば、前記フィルム押さえ部材は、前記フィルム切断部位から離れるにつれて前記吸着盤表面との間隔が広くなるように構成された傾斜面を有し、前記傾斜面に、前記切刃の前記吸着盤表面からの突出部位を収納可能な切刃収納溝を有することを特徴とする、第１態様のフィルム切断装置を提供する。
【００１３】
本発明の第３態様によれば、前記カッターユニットは、互いの切刃が外側を向くように配置されたカッターを２枚有することを特徴とする、第１又は第２態様のフィルム切断装置を提供する。
【００１４】
本発明の第４態様によれば、前記カッターユニットは、互いの切刃が外側を向くように構成された、略三角形状のカッターを有することを特徴とする、第１又は第２態様のフィルム切断装置を提供する。
【００１５】
本発明の第５態様によれば、前記カッターユニットは、前記カッターの切刃と前記吸着盤とのなす角度が１４５〜１５５゜となるように構成されていることを特徴とする、第１〜第４態様のいずれか１つのフィルム切断装置を提供する。
【００１６】
本発明の第６態様によれば、前記カッターユニットの移動速度は４００〜５００ｍｍ／秒であることを特徴とする、第１〜第５態様のいずれか１つのフィルム切断装置を提供する。
【００１７】
本発明の第７態様によれば、前記フィルム押さえ部材は、傾斜面と前記吸着盤表面とがなす角度が２０〜４０゜となるように構成されていることを特徴とする第２態様のフィルム切断装置を提供する。
【発明の効果】
【００１８】
本発明の第１態様によれば、カッターユニットは、カッターの切刃と吸着盤とのなす角度が鈍角となる浮かし切りの構成をとっており、フィルム切り始めの食い込みの問題を解消することができるため、切り始めをスムーズにすることができる。また、フィルム切断部位の側方位置にフィルムを吸着盤表面と挟むように構成されたフィルム押さえ部材を有するため、切刃のフィルム切断部位において、フィルム押さえ部材でフィルムの浮き上がりを押さえることができるという相乗効果によって、従来の方式では、切断面にむしれをおこしてしまうようなフィルムを切断することができる。
【００１９】
本発明の第２態様によれば、フィルムにしわが生じていたような場合であっても、フィルム押さえ部材の傾斜面によりフィルムを吸着盤表面に押しつけながら走行させることができるため、フィルムの切断をより確実にすることができる。また、切刃の突出部分を収納可能な溝を有するため、カッターの側方のごく近くの部位を吸着盤表面に押さえることができる。
【００２０】
本発明の第３及び４態様によれば、２枚のカッターを設けることにより、カッターユニットの往復移動のどちらでもフィルムを切断することができる。
【００２１】
本発明の第５から第７の態様は、これらの値であればフィルムの切断をスムーズに行うことができる。
【発明を実施するための最良の形態】
【００２２】
以下、本発明の一実施形態に係るフィルム切断装置について、図面を参照しながら説明する。
【００２３】
図１は、本発明の実施形態にかかるフィルム切断装置の外観構成を示す斜視図である。本実施形態のフィルム切断装置１は、ＴＡＣ、ＰＥＴ等の液晶ディスプレイ用光学フィルムのベースカットに用いられるものであり、連続ラインのスプライス機構においてのフィルムカットを行うものである。
【００２４】
フィルム切断装置は、基台２に吸着盤３が取り付けられた構成を有する。基台２内部には、フィルム切断の動作をおこなうための部材が収納される。
【００２５】
吸着盤３は、板状のステージで構成され、その対角線方向に延在するカッター走行溝４が設けられている。カッター走行溝４は、フィルムの幅より長く設けられる。また、溝幅がカッターの刃の厚み（約０．５ｍｍ）よりも０．５〜３．０ｍｍ程度広くなるように構成されることが好ましい。カッター走行溝４からは、カッターユニット１２のカッターの切刃が突出して配置されており（図２，図３参照）、当該カッターの切刃がカッター走行溝４に沿って矢印７０方向に走行することにより、フィルムを切断する。
【００２６】
吸着盤３の表面には、フィルム１００が連続的に搬送される。吸着盤３には、搬送されたフィルム１００を吸着固定するための多数の吸引穴６がその表面に設けられている。吸引穴６は、カッター走行中にフィルム１００が位置ずれしないように、カッター走行溝４の近傍に設けることが好ましい。
【００２７】
図２は、図１のフィルム切断装置のII-II線における断面図である。フィルム切断装置１は吸着盤３を支持する基台２の内部に、カッターユニット１２をカッター走行溝４に沿って移動させるための駆動機構９及びフィルム１００を吸着盤３に吸着するための吸引機構６ａを備える。
【００２８】
吸引機構６ａは、吸引盤３の裏側に設けられた密閉された空間に吸引路６ｂを介して接続された図示しない吸引装置によって真空引きが行われ、フィルム１００を吸引穴６に吸い寄せることで、フィルム１００を吸着盤３の表面に固定する。
【００２９】
駆動機構９は、リニア式アクチュエータであり、案内部７と、図示しない駆動源からの動力を受けて案内部７の上を移動可能な移動部８とを備える。移動部８の上には取り付け台１０が取り付けボルト１１によって固定される。取り付け台１０の上面にはカッターユニット１２を固定する取り付け部１９が立設されている。カッターユニット１２は、その切刃が移動部８の移動方向に向くように取り付け部１９に取り付けられ、移動部８が移動することによって、カッター走行溝４に沿って移動可能となる。
【００３０】
図３は、カッターユニット１２の構成を示す図である。カッターユニット１２は、板状の本体部１３に２枚のカッター１４ａ，１４ｂ及びフィルム押さえガイド５が取り付けられた構成である。本体部１３は、締め付けネジ１５ａ，１５ｂによって、移動部８の取り付け部１９に固定される。なお、取り付け部１９に対する取り付け高さを調整可能とするために、本体部１３に設けられた切り欠き部１３ａ，１３ｂは、鉛直方向に伸びている。
【００３１】
カッター取り付け部１４は、カッター１４ａ，１４ｂを本体部１３の表面と挟持することによって、２枚のカッター１４ａ，１４ｂを本体部１３に固定する。２枚のカッター１４ａ，１４ｂは、互いの切刃が外側を向くようにする。このように構成することにより、カッターユニット１２が移動する場合に、カッターの切刃が進行方向を向くため、カッターユニット１２の往復移動のいずれにおいてもフィルムの切断を行うことができる。
【００３２】
フィルム押さえガイド５は、カッター走行溝４に嵌入可能に薄板で構成された脚部５０を備え、吸着盤３を挟んでカッターユニット１２の反対側にホルダー５１が位置するように、脚部５０と本体部１３が連結する。フィルム押さえガイド５の取り付け高さを調整可能にするために、本体部１３には、ネジ穴１６とネジ１７から構成される高さ調整機構が設けられており、当該ネジ穴１６へのネジ１７のねじ込み深さを調整することにより、フィルム押さえガイド５の脚部５０の取り付け高さを調整する。
【００３３】
次に、図４Ａ，図４Ｂを参照してフィルム押さえガイドの構成について説明する。フィルム押さえガイド５は、上記のようにホルダー５１と脚部５０とから構成される。脚部５０は、連結部５４と当接部５５とを備える断面略Ｌ字形の金属板で構成されている。当接部５５は、カッターユニット本体部１３のネジ１７の上面に当接させて高さ位置を決定させるとともに、連結部５４に設けられている長穴５６で本体部１３にネジ止めされる。
【００３４】
ホルダー５１は、高さ方向に扁平な略直方体形状の部材である。ホルダー５１の幅方向中央部分には、吸着盤３表面から突出したカッター１４ａ，１４ｂ及び連結部５４を収納する切溝５３が設けられている。その溝幅５３ａは前記カッター走行溝４と同じ程度の幅とすることが好ましい。なお、切溝５３は、図４Ｂに示すように、脚部５０の上端部分が挿入されてホルダー５１と脚部５０との連結にも用いられる。両者の連結には、連結ネジ５７が用いられる。
【００３５】
また、吸着盤３と対向するホルダー５１の底面は、断面が略Ｗ字型になるように凹凸が設けられている。ホルダー５１は、その厚み寸法がもっとも厚くなる部分を押さえ部５２ａ，５２ｂとして形成されている。また、押さえ部５２ａ，５２ｂから離れるにしたがって、徐々に吸着盤３表面との間隔が広がるように傾斜面５９ａ，５９ｂが設けられている。
【００３６】
図７は、本実施形態にかかるフィルム切断装置のカッターユニットの変形例を示す図である。図７の変形例では、カッター６３として略三角形状のものを用いており、斜面に該当する部分が切刃６４ａ，６４ｂとなっている。また、フィルム押さえガイド６０は、断面略台形形状に構成され、カッター６３の頂部の吸着盤３表面から突出した部分が、フィルム押さえガイド６０の切溝内に収まるように位置決めすることが好ましい。
【００３７】
次にフィルム押さえガイド５のホルダー５１とカッターユニット１２のカッター１４ａ，１４ｂとの位置関係について説明する。図５Ａは、ホルダーとカッターとの位置関係を示す部分拡大図である。図５Ｂは、カッター１４ａとカッター走行溝４の幅及びホルダー５１の切溝５３の幅の関係を示す断面図である。図５Ｃは、図５Ａの部分拡大図である。
【００３８】
なお、図５Ａ、図５Ｂ、図５Ｃにおいては、カッター１４ａ，１４ｂは、上記のようにカッターユニット１２に２枚設けられているが、いずれも構成が共通するため、カッター１４ａを代表して構成を説明する。カッター１４ａの切刃２０ａは、吸着盤３との角度Ａが鈍角となるように構成されている。すなわち、本実施形態にかかるカッターユニット１２は、このように角度調整されたカッター１４ａが進行方向７１へ移動すると、吸着盤３上に配置されているフィルム１００に対して、吸着盤３から離間させる方向に力が及ぶ浮かせ切りの配置構成となっている。なお、切刃２０ａの刃先２１ａと吸着盤３とがなす角度Ａは、１４５〜１５５゜となるように調整することが好ましい。本実施形態においては、１５０゜に構成されている。
【００３９】
ホルダー５１は、押さえ部５２ａがカッター１４ａの切刃２０ａがフィルムと交差する部位、すなわち、フィルム切断部位の切刃の刃先２１ａのすぐ上流側に位置するようにカッターユニット１２に位置決めされている。したがって、フィルムの切断部位の側方においてホルダー５１の押さえ部５２ａと吸着盤３によってフィルム１００が挟まれて浮き上がりが防止される。
【００４０】
また、ホルダー５１の押さえ部５２ａと吸着盤３表面とは、わずかな間隔が設けられており、当該隙間にフィルム１００が配置され、カッターユニット１２の移動に伴うフィルムの浮き上がりを防止することができる。ホルダー５１の押さえ部５２ａと吸着盤３表面との隙間は、フィルム１００の厚み程度とすることが好ましく、具体的には、フィルム１００の厚みに吸着盤３の平面度及びカッターユニットの走行直進度の変動分を考慮して、フィルムの表面からごくわずかな隙間Ｄが設けられるようにすればよい。なお、上記のようにホルダー５１の押さえ部５２ａと吸着盤３表面との隙間は、カッターユニット１２の本体部１３の取り付け高さ調整及びネジ穴１６へのネジ１７のねじ込み深さを調整することにより、調整することができる。
【００４１】
なお、ホルダー５１の傾斜面５９ａ，５９ｂの角度Ｂは、フィルムの切断時にフィルム１００が吸着盤３の表面から浮き上がらないように調整することが好ましい。具体的には、角度Ｂは、２０〜４０゜、さら好ましくは２５〜３５゜となるように構成されていることが好ましい。すなわち、角度Ｂが３５゜よりも大きくなると、図８（ａ）に示すように、カッターの走行時に、ホルダー５１の押さえ部５２ａによる抑えが効かず、フィルムが上に跳ね上がることにより吸着盤３の表面から浮き上がる原因になる。一方、角度が小さいと、フィルム１００と傾斜面５９ａ，５９ｂとの距離が短くなるため、少しのフィルム１００の浮き上がりでもホルダー５１に引っかかりやすくなり、図８（ｂ）に示すように、フィルム１００が吸着盤に保持されにくくなる。なお、本実施形態では３０度に構成されている。
【００４２】
上記構成のカッターユニット１２が、カッター走行溝４に沿って移動することにより、吸着盤３の表面に載置されているフィルムが切断される。具体的には、図５Ａの矢印７１に示す方向にカッターユニット１２が移動すると、フィルム１００がカッター１４ａで切断するときに働く上向きの力により吸着盤３の表面から浮き上がる方向に力が働く。この場合でも傾斜面５９ａ及び押さえ部５２ａによってフィルム１００を押さえて吸着盤３の表面に密着させる。そして、押さえ部５２ａによってフィルム１００を吸着盤に強く密着させた直後に、カッター１４ａの切刃２０ａがフィルム１００を切断するため、浮かせ切りの構成を有するカッターを用いてもフィルム１００をスムーズに切断することができる。なお、フィルムを切断するときのカッターの移動速度は４００ｍｍ／秒以上、特に概ね４００〜５００ｍｍ/秒であることが好ましい。カッターの移動速度が４００ｍｍ／秒より小さくなるとフィルムがシャープに切断できなくなる場合がある。
【００４３】
なお、カッターユニット１２は、切刃が外側を向くように設けられた２枚のカッター１４ａ，１４ｂを有し、それぞれのカッターの進行方向上流側に傾斜面５９ａ，５９ｂを有しているので、カッターユニット１２がどちらの方向に移動する場合であってもフィルムを切断することができる。したがって、後述する２枚のフィルムの接続の処理をより迅速にすることができる。
【００４４】
次に本実施形態のフィルム切断装置を用いて２枚のフィルムを接続する工程について説明する。図６は、本実施形態の装置を用いて２枚のフィルムを接続する工程を説明する工程図である。まず、図６（ａ）に示すように、第１のフィルム１００ａをフィルム切断装置１の吸着盤３の表面に配置した状態で、カッターユニット１２をカッター走行溝４の両端まで１方向に往動させることで、フィルム１００Ａを切断位置１１０において切断する。この後、フィルム１００Ａの切断された部分１００Ａ’をフィルム切断装置から取り外し、廃棄する。
【００４５】
次に、図６（ｂ）に示すように、第２のフィルム１００Ｂを供給し、フィルム切断装置の吸着盤３の上に配置する。このとき、上流側端部１０２が第１のフィルム１００Ａの上に重なるように配置する。
【００４６】
この後、図６（ｃ）に示すように、カッターユニット１２をカッター走行溝４の両端まで逆方向に復動させることで、切断位置１１１において第２のフィルム１００Ｂを切断する。切断位置１１１は、第１のフィルムを切断した切断位置１１０と同じ位置であるため、第１及び第２のフィルム１００Ａ，１００Ｂの切断面はぴったりと隙間なく一致することとなる。なお、第２のフィルムの切断された部分１００Ｂ’はフィルム切断装置から取り外し廃棄する。
【００４７】
その後、図６（ｄ）に示すように、別の部材である接着テープ１０３を用いて第１及び第２のテープを貼り合わせる。
【００４８】
このように本実施形態のカッターユニットは、往復移動する場合のいずれの進行方向においてもカッター１４ａ，１４ｂの切刃が位置しているので、往復移動のいずれにおいてもフィルムを切断することができる。したがって、フィルムの切断のたびにカッターユニット１２を初期位置にまで戻す動作を必要としないため、フィルムの切断に要する時間を短縮化することができる。
【００４９】
（実施例）
カッターと吸着盤とがなす角度がフィルムの切断に及ぼす影響を確認するために、傾斜面の角度Ａ（図５Ｃ参照）を異ならせてフィルム（材質ＴＡＣ）を切断（カッター移動速度：400mm/秒及び500mm/秒）し、上記の通りフィルムの貼り合わせする実験をおこなった。なお、ホルダーは３０゜の傾斜面を有するものを使用した。結果は下記表１の通りとなった。なお、下記表１において、評価は次の通りである。
○：切れ口がシャープで貼り合わせが良好に行える。
△：切れ口はシャープではないがフィルムの貼り合わせは可能である。
×：切れ口にむしれが発生し、フィルムの貼り合わせ不良が生じる。
【００５０】
【表１】
2008194764.tif 000003
【００５１】
以上説明したように、本実施形態にかかるフィルム切断装置によれば、浮かせ切りの角度で配置されたカッターと、当該カッターの切断部位の側方位置において前記吸着盤表面との間で前記フィルムを挟むような部材を有するため、カッターユニット１２の移動によって生じるフィルムの浮き上がりを防止しながら浮かせ切りを行うことができる。よって、従来は押さえ切りで切断面がむしれをおこし、貼り合わせ不良が生じていたようなフィルムでもスムーズに切断することができ、貼り合わせに良好な切断面を得ることができる。また、カッターの切刃が互いに外側を向くように配置されているため、カッターユニット１２のいずれの方向への移動でもフィルムを切断することができ、カッターユニットを元の位置に戻す手間を省略することができる。
【００５２】
なお、本発明は上記実施形態に限定されるものではなく、その他種々の態様で実施可能である。
【産業上の利用可能性】
【００５３】
本発明のフィルム切断装置は、フィルムを保持した状態でカットしてフィルムを接続するスプライサーなどにおいて、ＴＡＣ、ＰＡＴなどのフィルムのカットの装置として用いられる。
【図面の簡単な説明】
【００５４】
【図１】本発明の実施形態にかかるフィルム切断装置の外観構成を示す斜視図である。
【図２】図１のフィルム切断装置のII-II線における断面図である。
【図３】カッターユニットの構成を示す図である。
【図４Ａ】フィルム押さえガイドの外観斜視図である。
【図４Ｂ】フィルム押さえガイドの側面図である。
【図５Ａ】ホルダーとカッターとの位置関係を示す部分拡大図である。
【図５Ｂ】カッターとカッター走行溝の幅及びホルダーの切溝の幅の関係を示す断面図である。
【図５Ｃ】図５Ａの部分拡大図である。
【図６】２枚のフィルムを接続する工程を説明する工程図である。
【図７】カッターユニットの変形例を示す図である。
【図８】ホルダーの傾斜面の角度が適正範囲外にある場合のフィルム押さえ状態を示す模式図である。
【符号の説明】
【００５５】
１  フィルム切断装置
２  基台
３  吸着盤
４  カッター走行溝
５、６０  フィルム押さえガイド
６  吸引穴
７  案内部
８  移動部
９  駆動機構
１０  取り付け台
１１  取り付けボルト
１２  カッターユニット
１３  本体部
１４  カッター取り付け部
１４ａ，１４ｂ、６３  カッター
１５ａ，１５ｂ  締め付けネジ
１６  ネジ穴
１７  ネジ
１９  取り付け部
２０ａ，２０ｂ  切刃
２１ａ  刃先
５０  脚部
５１  ホルダー
５２ａ，５２ｂ  押さえ部
５３  切溝
５４  連結部
５５  当接部
５６  長穴
５９ａ，５９ｂ  傾斜面
１００，１００Ａ，１００Ｂ，１００Ａ’，１００Ｂ’  フィルム
【図１】
2008194764.tif 000004
【図２】
2008194764.tif 000005
【図３】
2008194764.tif 000006
【図４Ａ】
2008194764.tif 000007
【図４Ｂ】
2008194764.tif 000008
【図５Ａ】
2008194764.tif 000009
【図５Ｂ】
2008194764.tif 000010
【図５Ｃ】
2008194764.tif 000011
【図６】
2008194764.tif 000012
【図７】
2008194764.tif 000013
【図８】
2008194764.tif 000014